(57)【要約】【課題】薄型表示装置において、回路基板が取り付けられるシャーシフレームを共通化して部品種類を削減する技術を提供する。【解決手段】リアキャビネット２２のリアキャビネット本体２３は、薄型表示装置１０の背面全体を覆う形状を有しており、略中央には、略直方体の空間を形成するように内側に凹んだ基板取付用凹部４０が設けられている。この基板取付用凹部４０には、電源基板や画像処理基板等の電気回路基板５０が取り付けられ、リアキャビネット２２内部に収容される液晶モジュールには電気回路基板５０は取り付けられない。【選択図】図３
2013064759.tif 000002
【特許請求の範囲】
【請求項１】
表示パネルユニットと、前記表示パネルユニットの背面の全体を覆う樹脂製のリアキャビネットを備えた薄型表示装置であって、
前記リアキャビネットは、
凹形状に形成され、前記凹形状の底面の外側部分に回路基板が取り付けられる基板取付収納部と、
前記基板取付収納部が呈する前記凹状形状の開口を覆うカバー部と、
を備え、
前記表示パネルユニットは、前記リアキャビネットに取り付けられた前記回路基板に面する領域に、回路基板を取り付ける構造を備えていない
ことを特徴とする薄型表示装置。
【請求項２】
前記基板取付収納部の前記底面には、底面開口が形成され、前記底面開口を覆うように前記回路基板が取り付けられることを特徴とする請求項１に記載の薄型表示装置。
【請求項３】
前記基板取付収納部の側面には、前記回路基板側と前記表示パネルユニット側とを連絡するケーブルを配索可能な側面開口が形成されることを特徴とする請求項１または２に記載の薄型表示装置。
【請求項４】
前記底面から延出し前記回路基板を固定する押し切り構造の第１の基板押さえ部を備えることを特徴とする請求項１から３までのいずれかに記載の薄型表示装置。
【請求項５】
前記基板取付収納部の側面から延出し、前記回路基板を固定する、第２の基板押さえ部を備え、前記第２の基板押さえ部は、線整形機能を備えていることを特徴とする請求項１から４までのいずれかに記載の薄型表示装置。
【請求項６】
前記表示パネルユニットの背面の全体にわたって、前記表示パネルユニットを構成する回路基板以外の回路基板が固定されないことを特徴とする請求項１から５までのいずれかに記載の薄型表示装置。
【請求項７】
前記表示パネルユニットの背面は、前記基板取付収納部の前記底面に固定された前記回路基板に対向する領域において、平面に構成されており、
前記回路基板は、前記底面開口を通って前記表示パネルユニットの背面と電気的に接続するアースバネを有していることを特徴とする請求項１から６までのいずれかに記載の薄型表示装置。
【請求項８】
前記カバー部が前記基板取付収納部に取り付けられた状態において、前記回路基板に設けられた信号端子の少なくとも一つが、外部に露出する部分において、前記基板取付収納部と前記カバー部とに挟持されることを特徴とする請求項１から７までのいずれかに記載の薄型表示装置。
【発明の詳細な説明】
【技術分野】
【０００１】
本発明は、薄型表示装置に係り、表示パネルユニットの背面を樹脂製のリアキャビネットで覆う構造の薄型表示装置に関する。
【背景技術】
【０００２】
薄型表示装置である液晶テレビの内部構造においては、表示パネルユニットである液晶モジュール背面に所定の取付構造を設けて電気回路基板を取り付ける構造が主流となっている。図１に、一般に市場に投入されている薄型表示装置１００の構造を示している。この薄型表示装置１００は液晶テレビであって、図示のように、液晶モジュール１４０に基板取付構造部１４１が設けられている。そして、決められた箇所に電気回路基板１５０をビス等で固定して、リアキャビネット１２２が液晶モジュール１４０の背面を覆うように取り付けられていた。
【０００３】
そこで、製造各社は、液晶モジュールや電気回路基板等の標準化のため様々な技術を導入している。そのような技術として、例えば、同一サイズの液晶テレビ等の薄型表示装置を生産する工程において、機種ごとに電気回路基板構成が異なる場合でも、それら基板が取り付けられるシャーシフレームを共通化して部品種類を削減する技術が提案されている（例えば特許文献１参照）。
【先行技術文献】
【特許文献】
【０００４】
【特許文献１】特開２００６−６５１３９号公報
【発明の概要】
【発明が解決しようとする課題】
【０００５】
ところで、標準化を行った場合であっても、液晶モジュールに対して最小要求取り付け構造以外の構造を加工することになってしまうことがあった。特に、ある仕向地用の製品を別の仕向地の製品として流用する様な場合には、そのまま使用することが出来ず、生産地において別の部品が使用されることがある。そのような場合、モジュール加工が必要となり、結果的に同一性能の液晶パネルをモジュール加工する時点で、複数品種の液晶モジュールを発生させることになり、生産管理上の煩雑さを強いられていた。また、特許文献１の技術では、樹脂製のシャーシフレームを使用しているが、結局液晶モジュール側への固定が必要となり、場合によっては最小要求取り付け構造以外の構造が必要となっていた。
【０００６】
本発明の目的は、上記課題に鑑み、薄型表示装置において、回路基板が取り付けられるシャーシフレームを共通化して部品種類を削減する技術を提供することにある。
【課題を解決するための手段】
【０００７】
本発明に係る薄型表示装置は、表示パネルユニットと、前記表示パネルユニットの背面の全体を覆う樹脂製のリアキャビネットを備えた薄型表示装置であって、前記リアキャビネットは、凹形状に形成され、前記凹形状の底面の外側部分に回路基板が取り付けられる基板取付収納部と、前記基板取付収納部が呈する前記凹状形状の開口を覆うカバー部とを備え、前記表示パネルユニットは、前記リアキャビネットに取り付けられた前記回路基板に面する領域に、回路基板を取り付ける構造を備えていない。
また、前記基板取付収納部の前記底面には、底面開口が形成され、前記底面開口を覆うように前記回路基板が取り付けられてもよい。
また、前記基板取付収納部の側面には、前記回路基板側と前記表示パネルユニット側とを連絡するケーブルを配索可能な側面開口が形成されてもよい。
また、前記底面から延出し前記回路基板を固定する押し切り構造の第１の基板押さえ部を備えてもよい。
また、前記基板取付収納部の側面から延出し、前記回路基板を固定する、第２の基板押さえ部を備え、前記第２の基板押さえ部は、線整形機能を備えてもよい。
また、前記表示パネルユニットの背面の全体にわたって、前記表示パネルユニットを構成する回路基板以外の回路基板が固定されなくともよい。
また、前記表示パネルユニットの背面は、前記基板取付収納部の前記底面に固定された前記回路基板に対向する領域において、平面に構成されており、前記回路基板は、前記底面開口を通って前記表示パネルユニットの背面と電気的に接続するアースバネを有してもよい。
また、前記カバー部が前記基板取付収納部に取り付けられた状態において、前記回路基板に設けられた信号力端子の少なくとも一つが、外部に露出する部分において、前記基板取付収納部と前記カバー部とに挟持されてもよい。
【発明の効果】
【０００８】
本発明によれば、薄型表示装置において、回路基板が取り付けられるシャーシフレームを共通化して部品種類を削減する技術を提供できる。
【図面の簡単な説明】
【０００９】
【図１】従来技術に係る、一般に市場に投入されている薄型表示装置の構造を示した斜視図である。
【図２】本発明の実施形態に係る、薄型表示装置の外観を示した図である。
【図３】本発明の実施形態に係る、薄型表示装置の背面の斜視図である。
【図４】本発明の実施形態に係る、薄型表示装置についてリアカバー及びスタンドカバーを取り外した状態を示した斜視図である。
【図５】本発明の実施形態に係る、リアキャビネット本体を示した斜視図である。
【図６】本発明の実施形態に係る、液晶モジュールの背面を示した斜視図である。
【図７】本発明の実施形態に係る、第１〜第３の電気回路基板を示した図である。
【図８】本発明の実施形態に係る、基板取付用凹部の部分を拡大して示した図である。
【図９】本発明の実施形態に係る、電気回路基板が取り付けられた状態の基板取付用凹部を示した図である。
【図１０】本発明の実施形態に係る、第１〜第３の電気回路基板が取り付けられた状態をそれぞれ示した図である。
【図１１】本発明の実施形態に係る、基板取付用凹部において第１の電気回路基板が取り付けられる領域を示した図である。
【図１２】本発明の実施形態に係る、線整形用リブを示した図である。
【図１３】本発明の実施形態に係る、リアカバーの斜視図である。
【図１４】本発明の実施形態に係る、アンテナ端子の配置構造を示した斜視図である。
【図１５】本発明の実施形態に係る、リアキャビネット本体を内側面から見た斜視図である。
【図１６】本発明の実施形態に係る、基板取付用凹部のアースバネを示した図である。
【発明を実施するための形態】
【００１０】
次に、本発明を実施するための形態を、図面を参照して具体的に説明する。本実施形態では、表示パネルユニットである液晶モジュール側への回路基板の取り付け構造を廃し、リアキャビネットの一部へ取り付け構造を設ける。以下、詳細に説明する。
【００１１】
図２（ａ）〜（ｃ）は、本実施形態に係る薄型表示装置１０の外観を示した図である。また、図３は、本実施形態に係る薄型表示装置１０の背面の斜視図であり、図１の従来構造と対比する上で、電気回路基板５０の取り付け状態が分かるように、リアカバー３０及びスタンドカバー３９を分離して示している。さらに、図４は、薄型表示装置１０について、リアカバー３０及びスタンドカバー３９を取り除いた状態を示した斜視図である。
【００１２】
薄型表示装置１０は、液晶テレビであって、図示のように、薄型表示装置１０の背面全体は、樹脂製のリアキャビネット２２に覆われている。リアキャビネット２２は、リアキャビネット本体２３、リアカバー３０及びスタンドカバー３９とから構成されている。
【００１３】
図５に、リアキャビネット本体２３の斜視図を示す。また、図６（ａ）に、薄型表示装置１０の背面について、リアキャビネット２２を取り外して液晶モジュール１５の背面を露出させた状態の斜視図を示す。さらに、図６（ｂ）は、図６（ａ）の状態から、スタンド２９等を取り外した状態の液晶モジュール１５のみを示す。
【００１４】
図３〜図５に示すように、リアキャビネット本体２３は、薄型表示装置１０の背面全体を覆う形状を有しており、略中央には、略直方体の空間を形成するように内側に凹んだ基板取付用凹部４０が設けられている。基板取付用凹部４０には、電源基板や画像処理基板等の電気回路基板５０が取り付けられる。この電気回路基板５０は、上述したように、従来であれば、液晶モジュール１５に取り付けられていた。なお、液晶モジュール１５の構成要素として本来備わる回路基板は、上記の電気回路基板５０としては含まれない。
【００１５】
そして、図２や図３に示すように、リアカバー３０が基板取付用凹部４０の外側開口部分を覆われるように取り付けられる。また、基板取付用凹部４０の下側には、スタンド２９の取り付け部分を覆うスタンドカバー３９が取り付けられる。なお、電気回路基板５０は、図７に例示すように、第１〜第３の電気回路基板５０ａ〜５０ｃの３パーツから構成される。第１の電気回路基板５０ａには、外部入力／出力端子を複数備えた端子群５２が備わる。また、第３の電気回路基板５０ｃには、左端の領域にアンテナ端子５９が設けられている。
【００１６】
つづいて、基板取付用凹部４０の構造及び電気回路基板５０の取付態様について詳細に説明する。図８（ａ）に基板取付用凹部４０の部分を拡大して示す。なお、図８（ｂ）は、理解しやすいように図８（ａ）の底面４１の底面開口４８及び側面４２の側面開口４９を墨塗りで示したものである。また、図９に、電気回路基板５０が取り付けられた状態の基板取付用凹部４０について示す。さらに、図１０（ａ）〜（ｃ）に、図９の第１〜第３の電気回路基板５０ａ〜５０ｃが取り付けられた状態をそれぞれ独立して示している。
【００１７】
上述のように、基板取付用凹部４０は、略直方体の空間を形成するように、リアキャビネット本体２３の一部が内側に凹んだ形状を呈している。また、基板取付用凹部４０の側面４２の所定の位置に、リアカバー３０を固定するためのカバー取付ボス４４ａが設けられている。カバー取付ボス４４ａの頂部には、ビス固定するためのビス孔４４ｂが設けられている。
【００１８】
この基板取付用凹部４０の底面４１の左上の領域に略正方形の第１の電気回路基板５０ａが取り付けられている。また、右上の領域には、第１の電気回路基板５０ａより小さな略正方形の第２の電気回路基板５０ｂが取り付けられている。さらに、下側の大部分の領域と第２の電気回路基板５０ｂの領域を除いた上側の領域において、略逆Ｌ字状の第３の電気回路基板５０ｃが取り付けられている。
【００１９】
また、基板取付用凹部４０には、電気回路基板５０を取り付けたり電気回路基板５０と液晶モジュール１５との接続ケーブルを配索するための形状が設けられている。具体的には、基板取付用凹部４０の底面４１に、電気回路基板５０を取り付けるための基板固定用ボス４６ａが設けられている。基板固定用ボス４６ａの位置は、取り付ける電気回路基板５０に設けられたビス孔に対応した位置に設けられている。
【００２０】
また、底面４１においては、底面４１を所望の剛性に維持するための構造として必要とされるフレーム部分を除いて、底面開口４８が設けられている。さらに、上下左右の側面４２には、電気回路基板５０と液晶モジュール１５との電気的な接続のためのワイヤハーネス等を配索するために、側面開口４９が設けられている。なお、底面開口４８もワイヤハーネスやケーブルを配索するために用いられる。なおここでは、高圧の１次回路部品と樹脂との距離を離す観点においても、開口が設けられている。また、例えば、図８の基板取付用凹部４０の略中央左側領域に示すように、側面開口４９と底面開口４８とが連続して一つの開口として形成される領域も備わる。
【００２１】
さらに、電気回路基板５０を押さえつけるための、押し切り構造の基板押さえ用リブ４３や、電気回路基板５０を所望の高さに支持する基板配置用リブ４５が設けられている。さらに、底面４１の左下の領域に、アンテナ端子固定リブ６１が設けられている。この構造については図１３で後述する。
【００２２】
ここで、電気回路基板５０が取り付けられる領域の代表例として、図１１（ａ）に、基板取付用凹部４０において第１の電気回路基板５０ａが取り付けられる領域を示す。なお、図１１（ｂ）は、図１１（ａ）の底面開口４８と側面開口４９を墨塗りで示したものである。図示のように、第１の電気回路基板５０ａが取り付けられる領域は、第２の電気回路基板５０ｂ及び第３の電気回路基板５０ｃが取り付けられる領域と比べて、一段高い位置になっている。
【００２３】
端子群５２がリアキャビネット本体２３から露出する位置を定める際に、電気回路基板５０を液晶モジュール１５に取り付ける従来の構造では、設計上の制約が非常に大きかった。例えば、液晶モジュール１５の金属フレーム部分に取付構造を設ける場合、金属フレームの絞り加工等の制約から、必ずしも所望の位置に端子群５２を露出させることができなかった。また、高さ調整用のスペーサとして、金属部品又は樹脂成形部品を新たに設けることも可能であるが、組み立て加工工程の増加や部品点数の増加等の観点から、採用が難しかったり、別の技術を採用することへの要望が強かった。また、電気回路基板５０に設計変更があった場合、液晶モジュール１５の金属フレーム等の加工が必要であった。その結果、上述したように、実質的に同じ仕様の液晶モジュール１５にもかかわらず、電気回路基板５０の取付構造等の違いによって、異なる生産管理番号の部品となってしまった。液晶モジュール１５については、設計変更のリードタイムが難しかったり、コストの観点から、極力品種数を低減したいという要請が強かった。
【００２４】
一方、本実施形態のように、リアキャビネット本体２３の基板取付用凹部４０に電気回路基板５０を取り付ける構造とすることで、電気回路基板５０に設計変更が生じた場合でも、対応が容易になる。つまり、液晶モジュール１５ではなく、リアキャビネット本体２３の設計変更で対応可能となる。上述したように、液晶モジュール１５の製造は、ある特定の工場で集約的になされることが多い。その後、使用される国・地域等において、リアキャビネット２２等の外装が製造され、それら外装と液晶モジュール１５等が組み立てられることが多い。
【００２５】
したがって、従来であれば、液晶モジュール１５を製造する工場で設計変更等の対応が必要であったが、本実施形態では最終出荷地において、外装（リアキャビネット２２）を変更するだけでよい。その結果、設計変更のリードタイムが短くなる。さらに、使用される地域に即したより好ましい態様の設計変更が容易となる。また、設計変更自体も、樹脂成形用の金型の入れ子の一部品を入れ替えることで実現できるため、技術的またコスト的に対応が容易である。
【００２６】
さらにまた、最終出荷地において設計変更が可能となるため、電気回路基板５０自体の設計変更の自由度も向上する。特に、電気回路基板５０については、回路部品の見直し等により、必要とされる領域の大きさが大幅に低減できるにも拘わらず、従来では液晶モジュール１５に対する取付位置の制限等によって、基板の大きさを小さく出来ない等の課題もあった。しかし、本実施形態では、基板等の大きさの大幅変更に対しても、リアキャビネット本体２３側で柔軟に対応することが可能となった。その結果、大幅なコスト低減のための設計の自由度が非常に高くなった。
【００２７】
さらに、電気回路基板５０がリアキャビネット２２にのみ固定する構造とすることで、薄型表示装置１０のメンテナンスが必要となったときに、作業効率を向上させることができる。すなわち、電気回路基板５０のメンテナンスにおいて、液晶モジュール１５を露出させる必要が無く、リアカバー３０を開けるだけでよい。また、液晶モジュール１５のメンテナンスにおいては、液晶モジュール１５から電気回路基板５０を取り外す作業が不要となる。つまり、リアキャビネット２２を液晶モジュール１５から取り外すことで、簡単に、液晶モジュール１５を取り出すことが可能となる。
【００２８】
つづいて図１２に、線整形用リブ４７を拡大して示す。図示のように、基板取付用凹部４０の右下側の側面４２から内側に延出して線整形用リブ４７が設けられている。また、第３の電気回路基板５０ｃにおいて、線整形用リブ４７が押さえる領域の近傍には、コネクタ５８が設けられている。この線整形用リブ４７は、上側部分４７ｂに配線を整理する機能を備えるとともに、線整形用リブ４７の底面部分が、第３の電気回路基板５０ｃを押さえる機能を有した基板押さえ部４７ａとなっている。また、基板押さえ部４７ａと上側部分４７ｂとの連結部分は、斜面状に形成されている。具体的には、図１２（ｃ）に示すように、コネクタ５８は、いわゆるＡＣコード直出しタイプに用いられる。コネクタ５８から直出しされたＡＣコード８１は、まず、線整形用リブ４７の上側部分４７ｂにおいてＡＣコード８１を線整形される。その後に、図１２（ｄ）に示すように、上からリアカバー３０を取り付ける。このとき、ＡＣコード８１は、リアカバー３０に設けられたコード引出部８２から引き出されている。このような構成とすることでＡＣコード８１のコネクタ５８からの抜け防止を実現できる。
【００２９】
つぎに主に図８〜図１０を参照して、第３の電気回路基板５０ｃを基板取付用凹部４０の底面４１に取り付ける工程を説明する。まず、作業者は、第３の電気回路基板５０ｃの下側部分を、基板押さえ部４７ａと底面４１との間に斜めから挿入するように配置する。その後、第３の電気回路基板５０ｃ全体を底面４１上の基板固定用ボス４６ａに配置する。このとき、第３の電気回路基板５０ｃは、基板配置用リブ４５に設けられた階段状の平面の一部にも当接して配置される。
【００３０】
この配置作業の際に、電気回路基板５０の外周部分が基板押さえ用リブ４３に当たり、一旦外側に撓ませる。そして、第３の電気回路基板５０ｃが基板固定用ボス４６ａに配置されると、基板押さえ用リブ４３は撓みが復帰する。その作用によって、電気回路基板５０は基板取付用凹部４０に押さえつけられた状態となる。
【００３１】
そして、ビス固定することで、第３の電気回路基板５０ｃは、完全に基板取付用凹部４０に固定される。従来であれば、液晶モジュール１５の金属フレームにボスを取り付けたり、樹脂製のフレームを介して取り付けたりして固定していた。一方、本実施形態では、基板取付用凹部４０から延出して形成されている基板押さえ用リブ４３が電気回路基板５０の固定手段として機能するため、ビス固定する部分を減らすことができる。つまり、部品点数を大幅に削減できる。言い換えると、嵌合係止構造とビス固定構造とを選択し、取付工程の最適化することができる。
【００３２】
また、従来であればワイヤハーネスを多用しなければならなかったケーブル配索も、側面４２から延出する線整形用リブ４７を用いることが容易となり、ワイヤハーネスの使用なしでケーブルの整理が容易となる。その結果、電気回路基板５０の回路構成の設計自由度も向上する。なお、基板押さえ用リブ４３のみで、電気回路基板５０を固定することも採用可能である。その場合は、ビス固定が不要となる。その際には、基板固定用ボス４６ａに突起形状を設け、電気回路基板５０に設けた所定の凹状形状又は貫通孔にその突起形状を嵌めるようにすると、位置固定が確実に、また容易となる。
【００３３】
図１３にリアカバー３０の斜視図を示す。図１３（ａ）は、外側から見た斜視図であり、図１３（ｂ）は、内側から見た斜視図である。図示のように、リアカバー３０の外縁部分には、リアカバー３０を基板取付用凹部４０の開口部分に固定するための固定孔３４及びカバー係止片３６が設けられている。ここでは、固定孔３４は、基板取付用凹部４０のカバー取付ボス４４ａのビス孔４４ｂに対応する位置に５カ所設けられており、ビス固定される。リアカバー３０には、第１の電気回路基板５０ａの取付位置に対応する領域に、端子領域３１が形成されている。端子領域３１は、周囲より一段低く凹んだ形状となっており、第１の電気回路基板５０ａの端子群５２の位置及高さ等に対応した高さになっており、端子群５２の位置及び数に対応した端子用孔が設けられている。
【００３４】
また、図１３（ｂ）に示すように、リアカバー３０の内側の面には補強リブ３７が設けられている。ここでは、補強リブ３７は、概ね端子領域３１以外の領域に設けられている。さらに、略中央には、棒状のたわみ防止用リブ３５が設けられている。たわみ防止用リブ３５は、リアカバー３０が取り付けられている状態で、リアカバー３０の外側面に力が作用したときにリアカバー３０が撓まないように、たわみ防止用リブ３５が、先端部が電気回路基板５０に略当接する形状となっている。また、下側には、内側方向に延出する板状の仕切り形状３３が設けられている。リアキャビネット本体２３において、スタンド２９が取り付けられる部分が、基板取付用凹部４０と連続して凹状形状を呈している。そこで、スタンド２９の固定・取り外し作業で、スタンドカバー３９が取り外されたときでも、電気回路基板５０が露出しないように、仕切り形状３３で遮るようになっている。
【００３５】
つづいて図１４は、第３の電気回路基板５０ｃに取り付けられているアンテナ端子５９の配置構造を示した斜視図である。第３の電気回路基板５０ｃが基板取付用凹部４０に取り付けられた状態で、アンテナ端子５９は、基板取付用凹部４０の左下の領域に配置されている。そして、リアカバー３０のアンテナ端子カバー部３２において、アンテナ端子５９の先端部が露出している。ここで、第３の電気回路基板５０ｃが基板取付用凹部４０に取り付けられるときに、底面４１に設けられたアンテナ端子固定リブ６１に、アンテナ端子５９の端部近傍が当接するように配置される。より具体的には、底面４１からアンテナ端子固定リブ６１が延出して形成されている。このアンテナ端子固定リブ６１は、例えば図１４（ｂ）に示すように、先端部が半円状に凹んでおり、アンテナ端子５９の端部の下側半分がちょうど配置可能になっている。
【００３６】
アンテナ端子カバー部３２は、図１３や図１４で示すように、リアカバー３０の左下側領域が略直方体上に内側に凹んだ形状となっている。ここでは、図１４（ａ）に示すように、左右の側面３２ｂ、上側面３２ａ及び底面３２ｃを備え、下側面が設けられず開放された構造となっている。そして、上側面３２ａには、所定形状の開口としてアンテナ端子押さえ部３８が形成されている。
【００３７】
具体的には、図１３（ｂ）や図１４（ａ）に示すように、アンテナ端子カバー部３２の上側側面と底面との境界領域は、斜面３２ｄになっている。そして、その斜面３２ｄの左右中央から上側面３２ａの略中央まで、アンテナ端子５９の直径よりやや広い幅の略長方形の開口が、アンテナ端子押さえ部３８として形成されている。なお、略長方形の形状の上端部分は、半円凸状となっており、アンテナ端子５９の端部をちょうど配置することができる。リアカバー３０が基板取付用凹部４０に取り付けられたときに、アンテナ端子５９を押さえるようにして、アンテナ端子固定リブ６１を外側から覆う。つまり、アンテナ端子５９の先端部分をアンテナ端子固定リブ６１と基板取付用凹部４０とで挟持することによって、アンテナ端子５９のぐらつきを防止できる。
【００３８】
さらに、リアキャビネット本体２３では、基板取付用凹部４０のアンテナ端子カバー部３２と隣接する外周部分が、略直方体の凹状一部を外側に膨らますような形状を呈している。このため、リアカバー３０が取り付けられた状態で、アンテナ端子５９へのケーブル接続が可能な空間が確保さている。なお、ここでは、挟持する信号端子としてアンテナ端子５９を例示したが、当然に、当該構造を各種の入出力端子に対しても適用することができる。
【００３９】
図１５（ａ）は、リアキャビネット本体２３を内側面７１から見た斜視図であり、図１５（ｂ）は図１５（ａ）の領域Ｘ１を拡大して示した図である。第１の電気回路基板５０ａと第３の電気回路基板５０ｃとが取り付けられた底面４１の領域を内側から見た状態に対応している。図示のように、側面４２に仕切り用リブ７５が設けられている。基板取付用凹部４０を設けることで、仕切り用リブ７５の形状は、リアキャビネット本体２３の背面部分と基板取付用凹部４０の側面４２との両方から延出する構造となる。このような構造とすることで、仕切り用リブ７５を成形する時にショートモールドが発生することを回避できる。また、底面４１の内側部分で、底面開口４８の縁部分には、リブ形状が設けられ、底面４１が撓まないように所望の強度が得られるようになっている。
【００４０】
図１６は、基板取付用凹部４０のアースバネ５５を示した図である。なお、図１６（ａ）は、基板上に設けられるアースバネ５５の一般的な例を示した図である。また、図１６（ｂ）は、本実施形態におけるアースバネ５５の使用態様を断面図で示した図である。図１６（ｂ）に示すように、電気回路基板５０の基板裏面５４には、アースバネ５５が設けられており、電気回路基板５０が基板固定用ボス４６ａに取り付けられたときに、底面開口４８を連通して液晶モジュール１５に弾性力によって押しつけられるようにして接触する。底面開口４８の領域を大きく確保できる為、また、液晶モジュール１５側の形状については、回路基板取り付けの為の構造がなく、電気回路基板５０に対向する領域が平面となっている。その結果、アースバネ５５の配置の設計自由度が非常に高い。この観点からも、電気回路基板５０の設計自由度が高く、設計変更に対して柔軟な対応が可能となる。
【００４１】
以上、本実施形態により実現できる効果の概要は以下のようにまとめることができる。
１．同一サイズの液晶テレビ等の薄型表示装置を生産する工程において、機種ごとに基板構成が異なる場合でも、基板が取り付けられるシャーシフレームを共通化して部品種類を削減する技術を提供することができる。
２．液晶モジュール背面の基板取り付け構造が不要となる。
３．樹脂製リアキャビネットである為、自由度の高い構造が容易に形成できる。
４．基板固定方法をビス止め／嵌合係止等、設計選択できる。
５．リアキャビネットの取り付け構造は成形金型入れ替え構造により容易に複数品種の対応が可能である。
６．生産リードタイムの短いリアキャビネットの対応で多機種並行生産が可能である。
【００４２】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。例えば、リアカバー３０の内側面に電気回路基板５０を取り付ける構造とすることもできる。また、薄型表示装置１０として液晶テレビについて例示したが、プラズマディスプレイテレビや有機ＥＬテレビについても、上記実施形態を適用することができる。
【符号の説明】
【００４３】
１０  薄型表示装置
１５  液晶モジュール
２２  リアキャビネット
２３  リアキャビネット本体
３０  リアカバー
３２  アンテナ端子カバー部
３８  アンテナ端子押さえ部
４０  基板取付用凹部
４１  底面
４２  側面
４３  基板押さえ用リブ
４４ａ  カバー取付ボス
４４ｂ  ビス孔
４５  基板配置用リブ
４６ａ  基板固定用ボス
４６ｂ  ビス孔
４７  線整形用リブ
４７ａ  基板押さえ部
４８  底面開口
４９  側面開口
５０  電気回路基板
５０ａ  第１の電気回路基板
５０ｂ  第２の電気回路基板
５０ｃ  第３の電気回路基板
５２  端子群
５５  アースバネ
５９  アンテナ端子
６１  アンテナ端子固定リブ
７５  仕切り用リブ
【図１】
2013064759.tif 000003
【図２】
2013064759.tif 000004
【図３】
2013064759.tif 000005
【図４】
2013064759.tif 000006
【図５】
2013064759.tif 000007
【図６】
2013064759.tif 000008
【図７】
2013064759.tif 000009
【図８】
2013064759.tif 000010
【図９】
2013064759.tif 000011
【図１０】
2013064759.tif 000012
【図１１】
2013064759.tif 000013
【図１２】
2013064759.tif 000014
【図１３】
2013064759.tif 000015
【図１４】
2013064759.tif 000016
【図１５】
2013064759.tif 000017
【図１６】
2013064759.tif 000018